(57)【要約】      （修正有）【課題】レバーハンドルの揺動側先端部分が進行方向と逆向きになっている状況で開き戸を通過する際、衣服や荷物等がレバーハンドルに引っかかりやすい。また、レバーハンドルの揺動側先端部分に衝突した場合は大きな被害を受ける状況も招きかねない。【解決手段】レバーハンドルの揺動側先端部分で曲折しドア本体直近まで延長した先端と接合され、レバーハンドルとともにドア本体直近をドア本体面と平行に回動するリング状或いは板状の部分を備えることにより、レバーハンドルの揺動側先端部分とドア面との間の空間を塞ぎ、衣服や荷物等の引き込みを防止する。さらにスペーサーの設置によってリング状或は板状の部分とドア本体面との隙間を完全に塞ぐことにより、さらにその効果を向上させる。【選択図】図１
0003137332.tif 000002
【実用新案登録請求の範囲】
【請求項１】
ドアのレバーハンドルの揺動側先端部分をドア本体直近まで延長した先端に、レバーハンドルとともにドア本体直近をドア本体面と平行に回動するリング状或いは板状の部分を備え、レバーハンドルの揺動側先端部分とドア本体面との間の空間を塞いでいるレバーハンドル。
【請求項２】
既存のレバーハンドルに装着し、既設のレバーハンドルを請求項１の形状に変更させるレバーハンドルカバー。
【請求項３】
ドアのレバーハンドルの揺動側先端部分で曲折しドア本体直近まで延長した先端と、レバーハンドルの支点となる軸のドア本体直近部分で接合され、レバーハンドルとともにドア本体直近をドア本体面と平行に回動するリング状或いは板状の部分を備えているレバーハンドルで、把手部分両端の接合点、及びリング状或は板状の部分との接合点の４箇所が、水平方向に回動可能となっており、さらにリング状或は板状の部分との接合点については垂直方向にも回動可能であり、当該接合点が垂直方向に回動している際は水平方向に回動しない構造となっているレバーハンドル。
【請求項４】
本考案のレバーハンドルのリング状或は板状の部分とドア本体面との間のドア本体側に設置し、レバーハンドルの回動を妨げることなく当該隙間を塞ぐスペーサー。
【考案の詳細な説明】
【技術分野】
【０００１】
本考案は、レバーハンドルに衣服や荷物等が引っかかることや衝突することに起因する、衣服、荷物、レバーハンドル等の損傷、さらには、負傷といった事故を未然に防ぐ、安全に関するものである。
【０００２】
通常、レバーハンドルはその形状から、通過する際に、衣服の袖口や荷物のベルト等が、レバーハンドルの把手部分とドア本体面との間に入り込みやすい。また、レバーハンドルの揺動側先端部分に衝突した場合は大きな被害を受ける状況も招きかねない。
【考案の開示】
【考案が解決しようとする課題】
【０００３】
解決しようとする問題点は、レバーハンドルの揺動側先端部分とドア本体面との間に衣服や荷物等が入りやすい空間がある点と、レバーハンドルの揺動側先端部分が鋭角的である点である。
【課題を解決するための手段】
【０００４】
本考案は、レバーハンドルに、レバーハンドルの揺動側先端部分および支点となる軸の部分で接合され、ドア本体直近をドア本体面と平行にレバーハンドルとともに回動するリング状或いは板状の部分を備えていることを特徴とする。
さらなる安全性の向上を図るため、一体式のレバーハンドルについては揺動側先端部分を曲面で構成しており、４箇所が可動式のレバーハンドルについては、各接合点を復元性が備えられた可動式にすることにより、衝撃を吸収する構造を備えている。
また、リング状或は板状の部分がドア本体面の直近を回動するため、リング状或は板状の部分とドア本体面との隙間を塞ぐスペーサーの設置が可能となる。
【考案の効果】
【０００５】
本考案は、レバーハンドルの揺動側先端部分とドア本体面との間の空間を塞ぎ、さらにリング状或は板状の部分を備えることにより、袖口等の引き込みを防止することができる。また、レバーハンドルの揺動側先端部分に鋭角的な部分が無いことによって、直接衝突した場合の被害を軽度に抑えることができる。
また、本考案の可動式レバーハンドルの場合は、各接合点に復元性を備えて水平方向に回動できる構造にすることにより水平方向の衝撃を吸収し、さらにリング状或は板状の部分との接合点について垂直方向にも復元性を備えて回動でき、当該接合点が垂直方向に回動している際は水平方向に回動しない構造とすることにより、ドアを開閉する為の操作に影響を及ぼさずに安全性の向上を図ることができる。
この、リング状或は板状の部分が把手部分より上部に位置することにより、把手を握った際に袖口へレバーハンドルが入り込むのを防いでいるが、リング状或は板状の部分とドア本体面との隙間を完全に塞ぐスペーサーの設置により、その他のものが入り込む状況も回避できる。
非常時に第一の非難経路となりうる場所に存在するレバーハンドルが非難の障害となることを最小限におさえ、平常時においても、特に幼児や老人等への安全性向上を図ることができる。
【考案を実施するための最良の形態】
【０００６】
本考案のレバーハンドルは、レバーハンドルの揺動側先端部分で曲折しドア本体直近まで延長した先端と、レバーハンドルの支点となる軸のドア本体直近部分で接合され、レバーハンドルとともにドア本体直近をドア本体面と平行に回動するリング状或いは板状の部分を備える。
レバーハンドルの揺動側先端部分で曲折しドア本体直近まで延長した先端に接合された、レバーハンドルとともにドア本体直近をドア本体面と平行に回動するリング状或いは板状の部分を、レバーハンドルの支点となる軸まで届かせない形状にした場合、レバーハンドルの支点となる軸側の接合は省略される。
本考案のレバーハンドルカバーについては、既存のレバーハンドルを完全に覆う２部品から構成され、これらの部品でレバーハンドルの軸とレバーを挟み、既設のレバーハンドルに固定することにより本考案のレバーハンドル形状を実現する。
本考案の可動式レバーハンドルは、レバーハンドルの揺動側先端部分に接合した部品によりドア本体直近まで延長された先端と、レバーハンドルの支点となる軸のドア本体直近部分で接合され、レバーハンドルとともにドア本体直近をドア本体面と平行に回動するリング状或いは板状の部分を備えているレバーハンドルで、把手部分両端の接合点、及びリング状或は板状の部分との接合点の４箇所が、水平方向に回動可能となっており、さらにリング状或は板状の部分との接合点については垂直方向にも回動可能であり、当該接合点が垂直方向に回動している際は水平方向に回動しない構造とする。
本考案の可動式レバーハンドルでは、リング状或いは板状の部分が、従来のレバーハンドルの角軸を回動させる機能を持ち、把手部分は、外から加わる力が水平方向であれば衝撃として吸収し、垂直方向であればドアの開閉操作としてリング状或は板状の部分に力を伝達する機能を持つ。
以上、本考案のレバーハンドルは全て上下対称の形状にすることにより、右向き、左向きのいずれにも対応可能とすることができる。
本考案のスペーサーは、リング状或は板状の部分と同様の形状を基本とし、レバーハンドルの軸側を化粧プレート等に干渉しないよう切欠いた形状としており、その設置については、レバーハンドルの重量増を抑えるためと、ドア本体面側にレバーハンドルの回動による擦り傷が付くのを防ぐため、ドア本体側に設置する。
本スペーサーとドア本体面との隙間については密着させることにより塞ぎ、本スペーサーとレバーハンドルとともに回動するリング状或は板状の部分との隙間については、スペーサーの上側面の一部をリング状或は板状の部分に僅かに覆い被せることで塞ぐ。
なお、リング状或は板状の部分を覆う為の部品と、ドア本体側に設置させる為の部品との２部品に分け、左右に反転して設置することにより、本考案のレバーハンドル同様、右向き、左向きのいずれにも対応可能とすることができる。
【実施例】
【０００７】
本考案の実施例１は図１および図２に示す通り、レバーハンドルの揺動側先端部分で曲折しドア本体直近まで延長した先端と、レバーハンドルの支点となる軸のドア本体直近部分で接合されており、ドア本体直近をドア本体面と平行にレバーハンドルとともに回動する部分を楕円のリング状としている。
本考案の実施例２は図３および図４に示す通り、実施例１のリング状部分を楕円の板状としたものである。
本考案の実施例３は図５に示す通り、実施例１のリング状部分を、レバーハンドルの支点となる軸まで届かせない形状にしたものであり、レバーハンドルの支点となる軸側の接合は省略している。
本考案の実施例４は図６および図７に示す通り、既設のレバーハンドルを実施例１と同様の形状に変更させるカバーであり、上下に二分割される部品を既存のレバーハンドルに装着し、ネジ等で固定する。
本考案の実施例５は図８および図９に示す通り、実施例４のリング状部分を楕円の板状としたものである。
本考案の実施例６は図１０、図１１および図１２に示す通り、レバーハンドルの揺動側先端部分に接合した部品によりドア本体直近まで延長された先端と、レバーハンドルの支点となる軸のドア本体直近部分で接合され、レバーハンドルとともにドア本体直近をドア本体面と平行に回動するリング状或いは板状の部分を備えているレバーハンドルで、把手部分両端の接合点、及びリング状或は板状の部分との接合点の４箇所が、水平方向に回動可能となっており、さらにリング状或は板状の部分との接合点については垂直方向にも回動可能であり、当該接合点が垂直方向に回動している際は水平方向に回動しない構造とした可動式レバーハンドルである。
本実施例では、リング状或いは板状の部分が、従来のレバーハンドルの角軸を回動させる機能を持つ。
把手部分は、外部から加わる力が水平方向であれば部品３と部品４に接続されたばねにより衝撃として吸収する。
外部から加わる力が垂直方向であれば、部品１と部品２を接続する蝶番により垂直方向に回動し、ドアの開閉操作としてリング状或は板状の部分に力を伝達する機能を持つ。
把手部分が垂直方向に回動している状態では、部品２及び部品３が部品１の突起部分にある溝によって固定され、水平方向に回動するのを防いでいる。
また、垂直方向に加えられている力が解除された場合は、図１３の５に示す部品１に取り付けられた永久磁石の磁力により、図１４の６に示す部品２に取り付けられた鉄板を引き寄せ、垂直方向に回動した把手部分を元の状態に戻す。
本考案の実施例７は図１７に示す通り、ドア本体直近をドア本体面と平行にと同様の形状を基本とし、レバーハンドルの軸側を化粧プレート等に干渉しないよう切欠いた形状としたスペーサーである。
本実施例とドア本体面との隙間については密着させることにより塞ぎ、本実施例とレバーハンドルとともに回動するリング状或は板状の部分との隙間については、本実施例の上側面の一部をリング状或は板状の部分に僅かに覆い被せることで塞いでいる。
また、本実施例をドア本体側に設置することにより、レバーハンドルの重量増を抑えることができ、レバーハンドルの回動に伴いドア本体面側に擦り傷が付くのを防ぐことができる。
なお本実施例も、リング状或は板状の部分を覆う為の部品（図１８部品１）と、ドア本体側に設置させる為の部品（図１９部品２）との２部品に分け、左右に反転して設置することにより、本考案のレバーハンドル同様、右向き、左向きのいずれにも対応可能としている。
本実施例の設置例として、本考案の実施例１とともに設置した状態を示しているものが図２０である。
【産業上の利用可能性】
【０００８】
レバーハンドルの揺動側先端部分とドア本体面との間に衣服や荷物等が入り込むことがなく、レバーハンドルに衝突した際も、鋭角的ではないこと或は衝撃を吸収する構造になっていることにより、被害を軽度に抑えることができる。
したがって、非常時には第一の非難経路となりうる場所に存在するレバーハンドルが非難の障害となることを避け、平常時においても、特に幼児や老人等への安全性向上を図ることができることから、住居に限らず事務所、店舗、病院、ホテル等、より高い安全性が求められる多くの物件や場所が、設置を推奨される対象となりうる。
特に施設の利用等、来客が目的とされる物件においては、安全性向上への高い取り組み姿勢のひとつとして評価される。
なお、材質や表面の処理、デザイン等に変化を加え、グレードの幅を持たせて差別化を図り、設置する環境に応じた展開も可能である。
【図面の簡単な説明】
【０００９】
【図１】本考案の実施例１の三面図である。
【図２】図１の１ａ−１ｂ線における本考案の実施例１の断面図である。
【図３】本考案の実施例２の三面図である。
【図４】図３の２ａ−２ｂ線における本考案の実施例２の断面図である。
【図５】本考案の実施例３の三面図である。
【図６】本考案の実施例４の三面図である。
【図７】図６の３ａ−３ｂ線における本考案の実施例４の断面図である。
【図８】本考案の実施例５の三面図である。
【図９】図８の４ａ−４ｂ線における本考案の実施例５の断面図である。
【図１０】本考案の実施例６の三面図であり、図中の数字は部品の番号である。
【図１１】本考案の実施例６が、垂直方向に回動した状態の三面図である。
【図１２】本考案の実施例６が、水平方向に回動した状態の三面図である。
【図１３】本考案の実施例６の部品１の三面図である。
【図１４】本考案の実施例６の部品２の四面図である。
【図１５】本考案の実施例６の部品３の四面図である。
【図１６】本考案の実施例６の部品４の三面図である。
【図１７】本考案の実施例７の三面図であり、図中の数字は部品の番号である。
【図１８】本考案の実施例７の部品１の三面図である。
【図１９】本考案の実施例７の部品２の三面図である。
【図２０】本考案の実施例７の三面図である。
【図１】
0003137332.tif 000003
【図２】
0003137332.tif 000004
【図３】
0003137332.tif 000005
【図４】
0003137332.tif 000006
【図５】
0003137332.tif 000007
【図６】
0003137332.tif 000008
【図７】
0003137332.tif 000009
【図８】
0003137332.tif 000010
【図９】
0003137332.tif 000011
【図１０】
0003137332.tif 000012
【図１１】
0003137332.tif 000013
【図１２】
0003137332.tif 000014
【図１３】
0003137332.tif 000015
【図１４】
0003137332.tif 000016
【図１５】
0003137332.tif 000017
【図１６】
0003137332.tif 000018
【図１７】
0003137332.tif 000019
【図１８】
0003137332.tif 000020
【図１９】
0003137332.tif 000021
【図２０】
0003137332.tif 000022
【手続補正書】
【提出日】平成19年9月13日(2007.9.13)
【手続補正１】
【補正対象書類名】実用新案登録請求の範囲
【補正対象項目名】全文
【補正方法】変更
【補正の内容】
【実用新案登録請求の範囲】
【請求項１】
ドアのレバーハンドルの揺動側先端部分をドア本体直近まで延長した先端に、レバーハンドルとともにドア本体直近をドア本体面と平行に回動するリング状或いは板状の部分を備え、レバーハンドルの揺動側先端部分とドア本体面との間の空間を塞いでいるレバーハンドル。
【請求項２】
既存のレバーハンドルに装着し、揺動側先端部分をドア本体直近まで延長した先端に、レバーハンドルとともにドア本体直近をドア本体面と平行に回動するリング状或いは板状の部分を備え、既存のレバーハンドルの揺動側先端部分とドア本体面との間の空間を塞ぐレバーハンドルカバー。
【請求項３】
ドアのレバーハンドルの揺動側先端部分で曲折しドア本体直近まで延長した先端と、レバーハンドルの支点となる軸のドア本体直近部分で接合され、レバーハンドルとともにドア本体直近をドア本体面と平行に回動するリング状或いは板状の部分を備えているレバーハンドルで、把手部分両端の接合点、及びリング状或は板状の部分との接合点の４箇所が、水平方向に回動可能となっており、さらにリング状或は板状の部分との接合点については垂直方向にも回動可能であり、当該接合点が垂直方向に回動している際は水平方向に回動しない構造となっているレバーハンドル。
【請求項４】
請求項１，３に係るレバーハンドルまたは請求項２に係るレバーハンドルカバーのリング状或いは板状の部分とドア本体面との間に、レバーハンドルの回動を妨げることなく当該隙間を塞ぐ形状または構造を有するスペーサーを装着可能なことを特徴とする、請求項１，３に記載のレバーハンドルおよび請求項２に記載のレバーハンドルカバー。